(57)【要約】【課題】  男性器が本来有する機能を十分に果たすとともに、外観上も男性器本来の外観に非常に近い男性器代用器を提供する。【解決手段】  本発明に係る男性器代用器２０は、先天的な疾患により男性器を有さない患者、或いは後天的に男性器を失った患者の下腹部に装着されるものであって、長手状の陰茎部４及び該陰茎部４の根元部から垂れ下がるように設けられた袋状の陰嚢部５を有する代用器本体２１と、該代用器本体２１の陰茎部４を挿通して設けられた排尿路８と、該排尿路８における陰茎部根元側の端部に接続して設けられ、患者の尿道口に当てがわれる尿受け９と、を備えるものである。【選択図】  図５
2010158330.tif 000002
【特許請求の範囲】
【請求項１】
先天的な疾患により男性器を有さない患者、或いは後天的に男性器を失った患者の下腹部に装着される男性器代用器であって、
長手状の陰茎部及び該陰茎部の根元部から垂れ下がるように設けられた袋状の陰嚢部を有する代用器本体と、
該代用器本体の前記陰茎部を挿通して設けられた排尿路と、
該排尿路における陰茎部根元側の端部に接続して設けられ、前記患者の尿道口に当てがわれる尿受けと、
を備えることを特徴とする男性器代用器。
【請求項２】
前記排尿路は、陰茎部先端側の端部が陰茎部根元側より小径に形成されたものであることを特徴とする請求項１に記載の男性器代用器。
【請求項３】
前記尿受けは、前記患者の尿道口周辺の形状を型取りした型枠を用いて成型されたものであることを特徴とする請求項１又は２に記載の男性器代用器。
【請求項４】
前記排尿路に対して流体を送出するフラッシュ用ポンプを更に備えることを特徴とする請求項１乃至３のいずれかに記載の男性器代用器。
【請求項５】
前記代用器本体の前記陰茎部に沿って設けられた袋状のバルーンと、
該バルーンに対して流体を送出するバルーン用ポンプと、
前記流体の前記バルーン側から前記バルーン用ポンプ側への逆流を防止する逆流防止弁と、
前記バルーンに充填された前記流体を前記バルーンの外部へ排出する排出バルブと、
を更に備えることを特徴とする請求項１乃至４のいずれかに記載の男性器代用器。
【請求項６】
前記代用器本体が、医療用シリコンからなることを特徴とする請求項１乃至５のいずれかに記載の男性器代用器。
【発明の詳細な説明】
【技術分野】
【０００１】
本発明は、先天的な疾患により男性器を有さない患者、或いは後天的に男性器を失った患者が、男性器の代用物として装着する男性器代用器に関し、特に、男性器が本来有する機能を果たすとともに、外観上も男性器に近い男性器代用器に関するものである。
【背景技術】
【０００２】
性同一性障害及び半陰陽のような先天的疾患により男性器を有さない患者、或いは病気もしくは事故によって後天的に男性器を失った患者の多くが、男性器を代用する物を手に入れることにより、トイレ使用時に感じる精神的ストレスを解消し、またより豊かな性生活を送りたいと望んでいる。男性器を代用する物を手に入れる手段の一つとしては、外科的な手術によって患者の下腹部に男性器を形成するという方法が挙げられる。しかし、このような外科的な手術は、技術的に非常に困難であって且つ多額の費用を要する。従って、男性器を模した外観を有する男性器代用器を患者の下腹部に装着する方法が広く用いられている。
【０００３】
一方、男性器自体は有しているものの、男性器を構成する陰茎部が性交を行うのに十分な程度に硬直しない、いわゆる勃起不能症に苦しむ患者も多く存在する。このような患者の男性器に勃起機能を回復させる手段としては、陰茎部を人工的に硬直させ得る装置を男性器の内部に移植する方法が従来提唱されている（例えば特許文献１参照）。
【先行技術文献】
【特許文献】
【０００４】
【特許文献１】特開平７−１８４９４０号公報
【発明の概要】
【発明が解決しようとする課題】
【０００５】
しかし、従来の男性器代用器は、男性器が本来有する機能である排尿機能を有しておらず、トイレ使用時には着脱が必要になって煩わしいという問題があった。また、従来の男性器代用器は勃起機能も有しておらず、性生活の向上にはつながらないという問題があった。更には、従来の男性器代用器は、外観上も男性器本来の外観に十分近いとは言えないという問題もあった。
【０００６】
本発明は、このような問題に鑑みてなされたものであり、男性器が本来有する機能を十分に果たすとともに、外観上も男性器本来の外観に非常に近い男性器代用器を提供する。
【課題を解決するための手段】
【０００７】
上記目的を達成するための本発明に係る男性器代用器は、先天的な疾患により男性器を有さない患者、或いは後天的に男性器を失った患者の下腹部に装着される男性器代用器であって、長手状の陰茎部及び該陰茎部の根元部から垂れ下がるように設けられた袋状の陰嚢部を有する代用器本体と、該代用器本体の前記陰茎部を挿通して設けられた排尿路と、該排尿路における陰茎部根元側の端部に接続して設けられ、前記患者の尿道口に当てがわれる尿受けと、を備えるものである。
【０００８】
また、本発明に係る男性器代用器は、前記排尿路は、陰茎部先端側の端部が陰茎部根元側より小径に形成されたものである。
【０００９】
また、本発明に係る男性器代用器は、前記尿受けは、前記患者の尿道口周辺の形状を型取りした型枠を用いて成型されたものである。
【００１０】
また、本発明に係る男性器代用器は、前記排尿路に対して流体を送出するフラッシュ用ポンプを更に備えるものである。
【００１１】
また、本発明に係る男性器代用器は、前記代用器本体の前記陰茎部に沿って設けられた袋状のバルーンと、該バルーンに対して流体を送出するバルーン用ポンプと、前記流体の前記バルーン側から前記バルーン用ポンプ側への逆流を防止する逆流防止弁と、前記バルーンの内部に充填された前記流体を前記バルーンの外部へ排出する排出バルブと、を更に備えるものである。
【００１２】
また、本発明に係る男性器代用器は、前記代用器本体が、医療用シリコンからなるものである。
【発明の効果】
【００１３】
本発明に係る男性器代用器によれば、患者の尿道口から排出された尿が、尿受けから排尿路を通って陰茎部の外部へと放出される。従って、患者は男性器代用器を装着したままでも排尿をすることができるため、トイレ使用時に男性器代用器を着脱する必要がない。
【００１４】
また、本発明に係る男性器代用器によれば、排尿路は陰茎部先端側の端部が陰茎部根元側より小径に形成されているので、尿が排尿路の先端から前方へ勢いよく放出される。これにより、尿が排尿路の先端から真下方向に放出され、便器から外れた床面等を汚すのを防止することができる。
【００１５】
また、本発明に係る男性器代用器によれば、尿受けが、患者の尿道口周辺の形状に合致するよう形成されたので、尿受けと患者の体との間に生じる隙間が小さくなる分、尿受けから尿が漏れ出しにくくなり、尿のより確実な回収が可能となる。また、尿受けが患者の体にフィットするので、患者はより快適な装着感を得られる。
【００１６】
また、本発明に係る男性器代用器によれば、排尿を終えた後にフラッシュ用ポンプから排尿路へ流体を送出することにより、排尿路内に残留した尿を流体とともに排尿路の外部へ排出することができる。これにより、排尿後に排尿路内に残留した尿が排尿路の先端から漏れ出して衣服を汚すのを防止することができる。
【００１７】
また、本発明に係る男性器代用器によれば、性交時には、バルーン用ポンプからバルーンへ流体を送出すれば、逆流防止弁の存在によって流体はバルーンの内部に充填され、バルーンが膨張する。これにより、陰茎部は勃起状態となり、性交するのに十分な硬直度が得られる。一方、性交時以外の通常時には、排出バルブを開いてバルーンの内部に充填された流体を外部へ排出すれば、バルーンが収縮する。これにより、陰茎部は萎縮状態となり、下着の内部に容易に収納することができる。
【００１８】
また、本発明に係る男性器代用器によれば、代用器本体が医療用シリコンからなるので、男性器の細部の形状を再現することができ、男性器本来の外観に非常に近い外観が得られる。
【図面の簡単な説明】
【００１９】
【図１】本発明の第１実施例に係る男性器代用器の構成を示す概略縦断面図。
【図２】本発明の第１実施例に係る男性器代用器の構成を示す図１のＡ方向矢視図。
【図３】本発明の第２実施例に係る男性器代用器の構成を示す概略縦断面図であって、萎縮状態を示す図。
【図４】本発明の第２実施例に係る男性器代用器の構成を示す図３のＡ方向矢視図。
【図５】本発明の第２実施例に係る男性器代用器の構成を示す概略縦断面図であって、勃起状態を示す図。
【発明を実施するための形態】
【００２０】
まず、本発明の第１実施例に係る男性器代用器について説明する。第１実施例に係る男性器代用器は、排尿機能を有することを特徴とするものである。図１及び図２は、第１実施例に係る男性器代用器１の構成を示す図であって、図１は概略縦断面図、図２は図１におけるＡ方向矢視図である。男性器代用器１は、男性器に模した外観を有する代用器本体２と、この代用器本体２に排尿機能を持たせるための排尿ユニット３と、を備えるものである。
【００２１】
代用器本体２は、図１に示すように、医療用シリコンからなるいわゆるエピテーゼであって、長手状の陰茎部４と、この陰茎部４の根元部から垂れ下がるように設けられた袋状の陰嚢部５と、後述する尿受け９を下方から支持する尿受け支持部６と、を有している。また、図１に詳細は示さないが、より男性器の外観に近付けるため、陰茎部４の根元部分や陰嚢部５の周囲には、陰毛に模した繊維物質等が植え込まれている。このように構成される代用器本体２は、陰茎部４根元側に平坦な取付面７が形成されており、患者の下腹部に装着する際には、医療用の接着剤を用いてこの取付面７を患者の体表に固定する。尚、代用器本体２の外形及び大きさは、本実施例に限られず、患者の体型や嗜好に合わせて任意の形状とすることができる。また、代用器本体２の材質は、医療用シリコン以外の材質でも構わないが、耐久性に優れ薄く形成することが可能な医療用シリコンを用いれば、男性器の細部の形状まで忠実に再現することができるので、男性器本来の外観に非常に近い外観が得られるという利点がある。ここで、本発明において医療用シリコンとは、耐熱、耐寒、対薬品、撥水、電気絶縁性等に優れ、美容整形、歯科、義肢、カテーテルなどの医療器具への使用が認可されたシリコンを意味する。
【００２２】
排尿ユニット３は、代用器本体２の陰茎部４を挿通して設けられた排尿路８と、排尿路８の一端に接続して設けられた尿受け９と、排尿路８の中間部に一端が接続された空気送出路１０と、この空気送出路１０に設けられた逆流防止弁１１と、空気送出路１０の他端に接続して設けられたフラッシュ用ポンプ１２と、フラッシュ用ポンプ１２と外部とを連通する空気吸引路１３と、を有している。
【００２３】
排尿路８は、患者の尿を流すための流路であって、本実施例では合成樹脂等からなるチューブを代用器本体２に埋め込んで排尿路８を構成している。この排尿路８は、図１に示すように、代用器本体２をその全長に渡って挿通して設けられ、陰茎部根元側には流入口１４が、陰茎部先端側には排出口１５がそれぞれ開口されている。これにより、流入口１４から流れ込んだ尿が排尿路８を通って排出口１５から排出される。また、排尿路８は、図１に示すように、陰茎部根元側から陰茎部先端側に向かってその径が徐々に小さくなるよう形成されており、排尿路８を流れる尿は、その先端側の端部から勢いよく放出される。これにより、排尿路８の陰茎部先端側の端部から真下方向に尿が排出されて床面等を汚すのを防止することができる。尚、本実施例のようにチューブを代用器本体２に埋め込んで排尿路８を構成することに代えて、代用器本体２の成型時に空洞部分を形成することによって排尿路８を構成することも可能である。
【００２４】
尿受け９は、図１及び図２に示すように、医療用シリコンからなる管状の部材であって、その一端部には、患者の陰部に当接する当接面１６が形成されている。このように構成される尿受け９は、排尿路８の流入口１４と連通するようにして、その一端が代用器本体２の取付面７に固着され、代用器本体２の尿受け支持部６によって下方から支持されることで構造的に補強されている。そして、この尿受け９は、代用器本体２を患者の下腹部に固定した時に、その当接面１６が患者の陰部すなわち尿道口周辺部分に対して下方から当てがわれる。これにより、患者の尿道口から排出された尿がこの尿受け９によって回収されて、流入口１４から排尿路８に流れ込むようになっている。尚、本実施例では、尿受け９の形状及び代用器本体２への固着位置を、性同一性障害の患者に合わせたものとしているが、患者の尿道口の位置等に応じて、尿受け９の形状及び代用器本体２への固着位置は適宜設計変更が可能である。また、図１及び図２に詳細は示さないが、当接面１６は、個々の患者の陰部形状に合致した形状を有している。すなわち、当接面１６の作製に際しては、アルジネート等の印象剤によって患者の陰部形状を型取った型枠を作り、この型枠を用いて医療用シリコンを成型している。このように当接面１６を患者の陰部形状に合わせた形状とすることにより、尿受け９と患者の体との間に生じる隙間が小さくなる分、尿受け９から尿が漏れ出しにくくなり、尿をより確実に回収することができる。また、尿受け９が患者の体にフィットするので、患者はより快適な装着感を得られる。
【００２５】
フラッシュ用ポンプ１２は、図１及び図２に示すように、男性器代用器１を構成する陰嚢部５の内部に収容され、押圧されることにより、空気吸引路１３を通して外部の空気を吸引し、空気送出路１０を通して排尿路８へ空気を送出するポンプである。また、逆流防止弁１１は、フラッシュ用ポンプ１２から排尿路８へ向かっての流体の流れは許容するが、排尿路８からフラッシュ用ポンプ１２へ向かっての流体の流れは禁止するものである。この逆流防止弁１１の存在により、排尿路８を流れる尿が空気送出路１０へ流れ込まないようになっており、且つ、フラッシュ用ポンプ１２から送出された流体が排尿路８から空気送出路１０へ逆流しないようになっている。
【００２６】
このように構成される排尿ユニット３によれば、排尿を終えた後に患者がフラッシュ用ポンプ１２を手動で押圧すると、フラッシュ用ポンプ１２から排尿路８へ空気が送出され、この空気が排尿路８の排出口１５から排出されるが、この時、排尿路８の内部に残留した尿が空気とともに排出口１５から排出される。このようなエアフラッシュ動作を、排尿を終えて男性器代用器１を下着の内部に収納する前に行うことにより、排尿路８の内部に残留した尿が排出口１５から漏れ出して下着や衣服が汚れるのを未然に防止することができる。
【００２７】
尚、フラッシュ用ポンプ１２として、手動式のポンプに代えて電動式のポンプを用いることも可能である。また、手動式や電動式のポンプを陰嚢部５に収容する代わりに、代用器本体２の成型時に空洞部分を形成することによってフラッシュ用ポンプ１２を構成することも可能である。また、フラッシュ用ポンプ１２から排尿路８へ送出する流体は空気に限られず、陰嚢部５に予め貯留した他の気体を用いてもよいし、更には気体に限られず液体を用いてもよい。例えば、フラッシュ用ポンプ１２から排尿路８へ消毒液を送出すれば、排尿路８に残留した尿を排出するとともに、排尿路８を消毒することもできる。また、本実施例では、空気吸引路１３と空気送出路１０を、合成樹脂等からなるチューブを代用器本体２に埋め込んで構成しているが、前記排尿路８と同様に、代用器本体２の成型時に空洞部分を形成することによって空気吸引路１３や空気送出路１０を構成することも可能である。
【００２８】
次に、本発明の第２実施例に係る男性器代用器１について説明する。第２実施例に係る男性器代用器２０は、排尿機能と併せて勃起機能をも有することを特徴とするものである。図３及び図４は、第２実施例に係る男性器代用器２０の構成を示す図であって、図３は概略縦断面図、図４は図３におけるＡ方向矢視図である。男性器代用器２０は、男性器に模した外観を有する代用器本体２１と、代用器本体２１に排尿機能を持たせるための排尿ユニット２２と、代用器本体２１に勃起機能を持たせるための勃起ユニット２３と、を備えるものである。
【００２９】
代用器本体２１は、第１実施例の代用器本体２と同じ構成及び作用効果を有するものであるため、図３及び図４では第１実施例と同じ符号を付し、ここでは説明を省略する。
【００３０】
排尿ユニット２２は、第１実施例の排尿ユニット３と比較すると、排尿路８とフラッシュ用ポンプ１２の位置関係が異なっている。すなわち、第１実施例のフラッシュ用ポンプ１２は排尿路８の鉛直下方に位置しているが、本実施例のフラッシュ用ポンプ１２は、陰嚢部５における図３に向かって左側に収容されることにより、排尿路８の斜め下方に位置している。しかし、それ以外の点については、本実施例の排尿ユニット２２は第１実施例の排尿ユニット３と同じであるため、図３及び図４では第１実施例と同じ符号を付し、ここでは説明を省略する。
【００３１】
勃起ユニット２３は、図３に示すように、代用器本体２１の陰茎部４に沿って設けられたバルーン２４と、このバルーン２４と外部とを連通する空気排出路２５と、この空気排出路２５の取付面７側の端部に開閉可能に設けられた排出バルブ２６と、バルーン２４に一端が接続された空気送出路２７と、この空気送出路２７に設けられた逆流防止弁２８と、空気送出路２７の他端に接続されたバルーン用ポンプ２９と、バルーン用ポンプ２９と外部とを連通する空気吸引路３０と、を有している。
【００３２】
バルーン２４は、図３に示すように、通気性のない材質からなる袋状の部材であって、その長さは代用器本体２１の陰茎部４の長さより若干短く形成されている。このバルーン２４は、排尿路８の直下に、その長手方向を陰茎部４の長手方向に沿わせるようにして代用器本体２１の内部に埋め込まれている。また、排出バルブ２６は、空気排出路２５における空気の流れを制御するものであって、閉じた状態で空気の流れを禁止し、開いた状態で空気の流れを許容する。また、逆流防止弁２８は、バルーン用ポンプ２９からバルーン２４へ向かっての空気の流れは許容するが、バルーン２４からバルーン用ポンプ２９へ向かっての空気の流れは禁止するものである。また、バルーン用ポンプ２９は、陰嚢部５における図３に向かって右側に収容され、押圧されることにより、空気吸引路３０を通して外部の空気を吸引し、空気送出路２７を通して空気を送出する手動式のポンプである。
【００３３】
このように構成される勃起ユニット２３では、性交時以外の通常時には、図３に示すように、バルーン２４はその内部に空気が充填されず収縮しており、代用器本体２１の陰茎部４はバルーン２４から何らの力も受けることなく萎縮状態となっている。また、この時、排出バルブ２６は閉じた状態になっている。この状態から、性交時に患者がバルーン用ポンプ２９を手動で押圧すると、バルーン用ポンプ２９からバルーン２４へ空気が送出される。ここで、排出バルブ２６が閉じた状態であって、且つ逆流防止弁２８がバルーン２４からバルーン用ポンプ２９へ向かっての空気の流れを禁止しているので、バルーン２４の内部は密閉状態である。従って、バルーン用ポンプ２９から送出された空気はバルーン２４に充填され、バルーン２４が徐々に膨張する。これにより、バルーン２４から支持力を受けた陰茎部４は、図５に示すように、徐々に起き上がりながら硬直することによって勃起状態となる。そして、性交が終了した後、患者が排出バルブ２６を開くと、バルーン２４に充填された空気が空気排出路２５を通って外部へ排出され、バルーン２４は収縮する。これにより、陰茎部４は、バルーン２４からの支持力を失って、図３に示すような萎縮状態へと戻る。
【００３４】
尚、バルーン用ポンプ２９として、手動式のポンプに代えて電動式のポンプを用いることも可能である。また、手動式や電動式のポンプを陰嚢部５に収容する代わりに、代用器本体２１の成型時に空洞部分を形成することによってバルーン用ポンプ２９を構成することも可能である。また、バルーン用ポンプ２９からバルーン２４へ送出する流体は空気に限られず、陰嚢部５に予め貯留した他の気体を用いてもよいし、更には気体に限られず液体を用いてもよい。また、本実施例では、空気排出路２５と空気送出路２７と空気吸引路３０を、合成樹脂等からなるチューブを代用器本体２１に埋め込んで形成しているが、前記排尿路８と同様に、代用器本体２１の成型時に空洞部分を形成することによって空気排出路２５と空気送出路２７と空気吸引路３０を構成することも可能である。
【産業上の利用可能性】
【００３５】
本発明は、先天的な疾患により男性器を有さない患者、或いは後天的に男性器を失った患者が、男性器の代用物として装着する男性器代用器に適用可能である。
【符号の説明】
【００３６】
１，２０  男性器代用器
２，２１  代用器本体
４  陰茎部
５  陰嚢部
８  排尿路
９  尿受け
１２  フラッシュ用ポンプ
２４  バルーン
２６  排出バルブ
２８  逆流防止弁
２９  バルーン用ポンプ
【図１】
2010158330.tif 000003
【図２】
2010158330.tif 000004
【図３】
2010158330.tif 000005
【図４】
2010158330.tif 000006
【図５】
2010158330.tif 000007
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
先天的な疾患により男性器を有さない患者、或いは後天的に男性器を失った患者の下腹部に装着される男性器代用器であって、
長手状の陰茎部及び該陰茎部の根元部から垂れ下がるように設けられた袋状の陰嚢部を有する代用器本体と、
該代用器本体の前記陰茎部を挿通して設けられた排尿路と、
該排尿路における陰茎部根元側の端部に接続して設けられ、前記患者の尿道口に当てがわれる尿受けと、
を備えることを特徴とする男性器代用器。
【請求項２】
前記排尿路は、陰茎部先端側の端部が陰茎部根元側より小径に形成されたものであることを特徴とする請求項１に記載の男性器代用器。
【請求項３】
前記尿受けは、前記患者の尿道口周辺の形状を型取りした型枠を用いて成型されたものであることを特徴とする請求項１又は２に記載の男性器代用器。
【請求項４】
前記排尿路に対して流体を送出するフラッシュ用ポンプを更に備えることを特徴とする請求項１乃至３のいずれかに記載の男性器代用器。
【請求項５】
前記代用器本体の前記陰茎部に沿って設けられた袋状のバルーンと、
該バルーンに対して流体を送出するバルーン用ポンプと、
前記流体の前記バルーン側から前記バルーン用ポンプ側への逆流を防止する逆流防止弁と、
前記バルーンに充填された前記流体を前記バルーンの外部へ排出する排出バルブと、
を更に備えることを特徴とする請求項１乃至４のいずれかに記載の男性器代用器。
【請求項６】
前記代用器本体が、医療用シリコンからなることを特徴とする請求項１乃至５のいずれかに記載の男性器代用器。
【請求項７】
前記尿受けの一端が前記代用器本体に固定され、前記代用器本体に、前記尿受けを下方から支持する尿受け支持部が突出して設けられたことを特徴とする請求項１乃至６のいずれかに記載の男性器代用器。
【手続補正２】
【補正対象書類名】明細書
【補正対象項目名】００１２
【補正方法】変更
【補正の内容】
【００１２】
また、本発明に係る男性器代用器は、前記代用器本体が、医療用シリコンからなるものである。
また、本発明に係る男性器代用器は、前記尿受けの一端が前記代用器本体に固定され、前記代用器本体に、前記尿受けを下方から支持する尿受け支持部が突出して設けられたものである。
【手続補正３】
【補正対象書類名】明細書
【補正対象項目名】００１８
【補正方法】変更
【補正の内容】
【００１８】
また、本発明に係る男性器代用器によれば、代用器本体が医療用シリコンからなるので、男性器の細部の形状を再現することができ、男性器本来の外観に非常に近い外観が得られる。
また、本発明に係る男性器代用器によれば、尿受けが尿受け支持部によって下方から支持されることで構造的に補強される。